(57)【特許請求の範囲】
【請求項１】
搬送方向が湾曲する用紙搬送経路と、
前記用紙搬送経路において搬送される用紙が沿う側の搬送面であるガイド表面に穿設した抜き孔と、
前記抜き孔から突出して用紙と接触し、用紙搬送経路側を形成する表面、並びに、反用紙搬送経路側を形成する当接面、を備える突出部と、前記突出部を揺動するアームと、からなるセンサフィーラと、
前記抜き孔に形成され、前記突出部の当接面と当接する保持面と、から構成される用紙検出装置であって、
前記突出部の表面は、前記ガイド表面の形状に沿った形状とされ、
前記抜き孔の保持面と前記突出部の当接面との側面視断面は、円弧状に形成され、
前記突出部が用紙と接触した際に、前記突出部は、前記アームによって揺動され、前記抜き孔と前記ガイド表面との境界部を閉鎖することを特徴とする用紙検出装置。
【請求項２】
前記センサフィーラの用紙と接触する側の表面は、用紙が通過する際にガイド表面の一部を形成することを特徴とする請求項１に記載の用紙検出装置。
【発明の詳細な説明】
【０００１】
【発明の属する技術分野】
本発明は、特に、複写機や、ファクシミリ機能と複写機能を兼備するような画像記録装置等に装備される用紙搬送経路に適用される用紙検出装置であるフィーラ型センサ装置のフィーラの構造及びその抜き孔の構造に関する。
【０００２】
【従来の技術】
従来、複写機といった画像記録装置等においては、用紙搬送経路のガイド面に抜き孔を穿設し、該抜き孔からフィーラを突出し、該フィーラによって用紙が通過したことを検出する用紙検出装置が用いられている。前記抜き孔は、フィーラの可動域を確保するために、フィーラが通過可能な大きさで構成していた。
例えば、図７及び図８に示すごとく、フィーラ８０は、用紙搬送経路Ｒ１を形成するガイド８１に穿設した抜き孔８２内を揺動可能に構成していた。
【０００３】
【発明が解決しようとする課題】
しかし、図７及び図８に示すごとく、前記抜き孔８２の存在する箇所においては、抜き孔８２に用紙８３が搬送されてフィーラ８０に接触し、フィーラ８０を揺動させた後、再びガイド８１のガイド表面８８に差し掛かる際に、抜き孔８２とフィーラ８０の間に空間が生じているため、用紙８３が抜き孔８２とガイド表面８８の境界部８５（図７に示す）に引っかかってしまい、ペーパージャムや、用紙先端にダメージが発生してしまうのである。尚、図中の矢印Ｕは、用紙の進行方向を表している。
また、図７に示すごとく、用紙搬送経路Ｒ１が湾曲している場合においては、用紙８３には、用紙搬送経路Ｒ１に添わせるための外力が働くため、該外力に対し、用紙８３には、自身が有するこしにより、矢印９０の方向のごとくの復元力が働くことになる。そして、該復元力が用紙８３を前記境界部８５の方向へ導くのである。以上のことから、用紙の用紙搬送経路が湾曲し、しかも、抜き孔８２を用紙の復元力の向く方向（矢印９０）に構成している場合においては、特に用紙８３が境界部８５に引っかかりやすくなるのである。
【０００４】
【課題を解決するための手段】
本発明の解決しようとする課題は以上のごとくであり、次に該課題を解決する為の手段を説明する。
すなわち、請求項１に記載のごとく、搬送方向が湾曲する用紙搬送経路と、前記用紙搬送経路において搬送される用紙が沿う側の搬送面であるガイド表面に穿設した抜き孔と、前記抜き孔から突出して用紙と接触し、用紙搬送経路側を形成する表面、並びに、反用紙搬送経路側を形成する当接面、を備える突出部と、前記突出部を揺動するアームと、からなるセンサフィーラと、前記抜き孔に形成され、前記突出部の当接面と当接する保持面と、から構成される用紙検出装置であって、前記突出部の表面は、前記ガイド表面の形状に沿った形状とされ、前記抜き孔の保持面と前記突出部の当接面との側面視断面は、円弧状に形成され、前記突出部が用紙と接触した際に、前記突出部は、前記アームによって揺動され、前記抜き孔と前記ガイド表面との境界部を閉鎖する。
【０００５】
また、請求項２に記載のごとく、前記センサフィーラの用紙と接触する側の表面は、用紙が通過する際にガイド表面の一部を形成する。
【０００７】
【発明の実施の形態】
次に、本発明の実施の形態を、図面に基づいて説明する。
図１は本発明に係る用紙検出装置を適用する一般的なコピー・ファクシミリ複合を示す図、図２は本発明に係る用紙検出装置を適用する自動シート搬送装置の内部構造を示す側面図、図３は本発明に係る用紙検出装置の構成を示す側面図、図４は同じく図３における矢印Ｈから見た図、図５は同じく本発明に係る用紙検出装置の他の実施例の構成を示す側面図、図６は同じく図５における矢印Ｈから見た図、図７は従来の用紙検出装置の構成を示す側面図、図８は同じく図７におけるに矢印Ｈから見た図である。
【０００８】
尚、以下の説明において、図１に標す矢視方向（コピー・ファクシミリ複合機にあっては給紙カセット１０Ｔ・１０Ｂの把手側）を前方として、各構造体の前後左右方向を説明する。また、他の図面におけるその前後左右方向についても、図１に準ずるものとする。
【０００９】
図１に示すように、コピー・ファクシミリ複合機は、記録部２の上方に読取部３を配置して構成されている。
前記読取部３は、読取装置６内に設けられた読取装置を走査させて静止原稿等を読み取るフラットベッドタイプのスキャナとして用いられるとともに、該読取装置を位置固定して、原稿を、原稿押さえカバー７の一端に付設した自動原稿搬送装置（以下、ＡＤＦ８とする）に給送しながら読み取りを行うシートフィードタイプのスキャナとして用いることができるように構成されている。
【００１０】
また、記録部２の下方には、給紙カセット１０Ｔ・１０Ｂを上下二段（又は、複数段）に設けて構成した給紙装置１が配置されている。給紙カセット１０Ｔ・１０Ｂ内には、互いに用紙サイズが異なる用紙がそれぞれ堆積して貯留されており、該給紙カセット１０Ｔ・１０Ｂの何れか一方から用紙を繰り出して記録部２へ給紙し、該用紙に記録を行なった後に記録済の用紙を排出トレイ５へ排出して、堆積するよう構成している。
【００１１】
原稿押えカバー７の一端部には、ＡＤＦ８が付設されている。ＡＤＦ８の外観は、図１のように、読取装置６の走査方向と直交する方向上にて並列状にサイドフレーム７ａ・７ｂを立設しており、両サイドフレーム７ａ・７ｂ間に、ＡＤＦ８の原稿搬送部全体を覆うＡＤＦカバー１４が挟まれるように配置されたものとなっている。各サイドフレーム７ａ・７ｂのＡＤＦカバー１４側端部に沿う内側開口面には、図示されない板金製の側板がそれぞれ立状に固設されていて、例えば、後記の各フィードローラのうち、駆動ローラのローラ軸の各軸端を軸支している。サイドフレーム７ａ・７ｂの一方または両方は、該駆動ローラの駆動源及びその伝動系を覆っており、その内側面が該側板にて覆われているのである。
【００１２】
これら原稿押えカバー７とサイドフレーム７ａ・７ｂ、該両側板、そして、内装される駆動ローラ用駆動源及び伝動系がＡＤＦ８の装置本体を形成し、該装置本体に左右を挟まれて、ＡＤＦカバー１４にて覆われる原稿搬送部が配設されて、ＡＤＦ８全体を構成している。
【００１３】
ＡＤＦ８の給紙口８ａに連なるように、該原稿押えカバー７の上方に原稿給紙トレイ９が配設されており、その上面には原稿ガイド９ａ・９ｂが並列状に立設され、該原稿ガイド９ａ・９ｂをスライドさせて用紙の両側面を挟み込み、原稿の給送を安定させる。そして、該原稿給紙トレイ９の下方における原稿押えカバー７の上面には、ＡＤＦ８の該給紙口８ａの直下に配置された排紙口８ｃ（図２に示す）に連なるように、原稿排出トレイ７ｃが一体成形されている。ＡＤＦ８内には、給紙口８ａから排紙口８ｃ（図２に示す）まで用紙搬送経路が構成されている。
【００１４】
また、読取装置６の一側方にはキーパネル１３が付設されている。該キーパネル１３の各種操作キーを押すことにより、原稿内容の読み取りを行ったり、読み取った内容をファクシミリ送信する際の送信先の設定を行ったり、受信内容や読み取った内容の記録装置による記録を行ったり、様々な操作がなされるのである。
【００１５】
次に本発明に係る用紙検出装置を適用する自動シート搬送装置のＡＤＦ８の内部構造について説明する。
なお、この説明において、図２に示す側面視にて、原稿搬送方向を前後方向（原稿搬送路について給紙口８ａ・排紙口８ｃ側を前方、湾曲部（搬送方向折り返し部）側を後方とする。）とし、その水平方向における直交方向を左右方向として、各構造体の上下・前後位置を説明するものとする。
【００１６】
まず、ＡＤＦ８の用紙搬送経路を概説すると、図２に示すように、前記排紙口８ｃの下方に用紙の搬送方向を逆転させる一時排出口８ｂが設けられ、まず、該給紙口８ａから該一時排出口８ｂにかけて側面視略「Ｃ」字状の用紙搬送経路Ｒ１が形成されている。該用紙搬送経路Ｒ１において、該一時排出口８ｂの後方にそれぞれ分岐点Ｒ・Ｑが設けられ、該分岐点Ｑより後方へ向けてスイッチバックパスＲ２が延設され、該用紙搬送経路Ｒ１の湾曲部で連通させている。ここで、この連通個所を合流点Ｐとし、また、該分岐点Ｒより斜上方の排紙口８ｃに向けて、側面視「Ｊ」字を寝かせた形状の反転パスＲ３が形成されている。
【００１７】
次に用紙をフィードするローラの配置であるが、前記一時排出口８ｂと前記排紙口８ｃとの間には正逆回転可能なエキストラローラ３０が配設され、その上下の用紙搬送経路Ｒ３・Ｒ１で摺接するように第２プレスローラ３２と第１プレスローラ３１とが配設されている。ここで、用紙搬送経路Ｒ１におけるエキストラローラ３０と第１プレスローラ３１とのニップ部をＥ、反転パスＲ３におけるエキストラローラ３０と第２プレスローラ３２とのニップ部をＦとする。
【００１８】
また、給紙口８ａの近傍にはセパレートローラ２２とリタードローラ２３とのニップ部Ａが配設され、該セパレートローラ２２の両端より前方に向けてアーム２０・２０が揺動自在に配設され、該アーム２０・２０の前端部にピックアップローラ２１が軸支されている。そうして、給紙口８ａから一時排出口８ｂまでの用紙搬送経路Ｒ１に沿って、前記セパレートローラ２２とリタードローラ２３とのニップ部Ａ、第１フィードローラ２４と第１スレイブローラ２５のニップ部Ｂ、第２フィードローラ２６と第２スレイブローラ２７のニップ部Ｃ、前記エキストラローラ２８と第１プレスローラ２９とのニップ部Ｄの順に配設されている。
【００１９】
そして、前記分岐点Ｑの直後方の用紙搬送経路Ｒ１とスイッチバックパスＲ２との間に、該用紙搬送経路Ｒ１・Ｒ２間を切り換える第１振り分け部材３８を配設し、また、前記分岐点Ｒの直後方の用紙搬送経路Ｒ１と反転パスＲ３との間に、該用紙搬送経路Ｒ１・Ｒ３間を切り換える第２振り分け部材３９を配設する。該振り分け部材３８・３９にはフィルム等の可撓性部材を使用し、その弾性、またはその自重を利用して経路の開閉を行うものや、あるいは、ソレノイド等のアクチュエータを用いて電気的に経路の切り換えを行うものがある。尚、前者は、後者に比べて安価で、且つ、構造的にも簡単であり、ここでは前者を採用し、該第１振り分け部材３８、及び該第２振り分け部材３９は通常、その自重により用紙搬送経路Ｒ１を塞ぎ、用紙の通過により該用紙搬送経路Ｒ１を開閉するように構成する。
【００２０】
次に用紙の搬送に係る各センサについて説明する。
まず、前記用紙搬送経路Ｒ１の給紙口８ａ付近にはドキュメントセットセンサ（以下、「ＤＳセンサ」）４３が配設されている。給紙口８ａ奥深くに用紙がセットされると、該ＤＳセンサ４３により検知され、これにより前記キーパネル１３（図１に示す）上のスタートボタンと駆動源との間の回路が接続されて、駆動源の駆動が可能な状態となり、逆に言えば、原稿がセットされていない状態では、該回路が遮断されたままでスタートボタンを押しても駆動源は始動せず、こうして原稿の空送りが防止されている。
【００２１】
そうして、前記用紙搬送経路Ｒ１とスイッチバックパスＲ２との合流点Ｐ付近に第１位置検出センサ４４を配設し、また、該用紙搬送経路Ｒ１における分岐点Ｑと分岐点Ｒとの中間位置に第２位置検出センサ４５を設け、それぞれ原稿の通過を検出する。
前記センサ４３・４４・４５はそれぞれその搬送経路における一方の側に発光素子を配置し、他方の側に受光素子を配置した光センサ、またはリミットスイッチ等により構成されており、センサ配置位置を通過する用紙の通過開始時、または通過完了時を検出し、制御信号（検出信号）を出力している。
【００２２】
以上が、本発明に係る用紙検出装置を適用する自動シート搬送装置のＡＤＦ８の構造の概要である。
そして、前記第１位置検出センサ４４（図２に示す）に本発明に係る用紙検出装置を適用する実施例を以下に説明する。
【００２３】
図３に示すごとく、本発明に係る用紙検出装置は、合流点Ｐ付近に配設される用紙搬送経路Ｒ１の搬送面を形成するガイド表面６６を有するガイド５１に穿設した抜き孔５４と、該抜き孔５４から揺動自由に垂設したセンサフィーラ５３とからなる。
【００２４】
該センサフィーラ５３は、フィーラ軸５２と、該フィーラ軸５２に軸支されたアーム５７と、用紙Ｗと接触する側の表面６５を有する突出部５８とから構成される。
【００２５】
図３に示すごとく、原稿が用紙搬送経路Ｒ１に存在しない場合においては、センサフィーラ５３は自重により垂下され、突出部５８を抜き孔５４の下に覗かせた状態としている。
【００２６】
そして、用紙Ｗが用紙搬送経路Ｒ１を通過する際には、該突出部５８に用紙Ｗが接触（通過）し、該突出部５８は前記抜き孔５４に納められる。この状態では、図４に示すごとく、該センサフィーラ５３の用紙搬送経路Ｒ１側の表面６５は、ガイド表面６６の形状に沿った形状に形成されているので、該ガイド表面６６と同様の機能を有する搬送面を構成している。言い換えれば、該突出部５８の表面６５が搬送面となるのである。
このように、表面６５によって搬送面を形成したのは、表面６５が用紙Ｗの滑らかな搬送の障害となることがないようにするためである。
【００２７】
また、図３に示すごとく、抜き孔５４には突出部５８の裏面、即ち用紙Ｗ側と反対側の面に当接する保持面６１が構成されている。そして、突出部５８の裏面には、前記保持面６１に当接する当接面６２が形成されている。
尚、該保持面６１及び当接面６２は、側面視円弧状の断面に構成した。このようにした理由としては、例えば、断面を段付形状等で構成した場合は、一度保持面６１と当接面６２が合わさると段付部において嵌合してしまい、センサフィーラ５３が再び自重で垂下がることを妨げてしまうからである。
【００２８】
以上のごとく構成し、突出部５８が抜き孔５４を上から覆い被さるようにして、抜き孔５４の一部を閉鎖することで、用紙Ｗが突出部５８の表面上から再びガイド表面６６に差し掛かる際に、用紙Ｗが抜き孔５４とガイド表面６６との境界部８５に引っかかることがなくなるため、用紙Ｗの先端にダメージが生じることもなく、ペーパージャムの原因となることもない。
【００２９】
また、図５及び図６に示すごとく、突出部５８の先端６７を抜き孔５４の範囲を超えて、ガイド表面６６に覆い被さるように構成してもよい。
尚、図５及び図６に示す実施例においては、先端６７がガイド表面６６から突出することになるため、該先端６７の位置においては、用紙搬送経路Ｒ１の用紙Ｗの厚さ方向の幅が縮小される。このため、該先端６７の突出は、用紙搬送経路Ｒ１における用紙Ｗの通過を妨げない範囲であることが必要である。
【００３０】
以上が本発明に係るセンサフィーラ５３の構成であって、図３に示すごとく、用紙Ｗがフィーラ軸５２を揺動させると、フィーラ軸５２から延出したドグ６９が、リミットスイッチ７０やポテンショメータ等の機械式のセンサ、又は光センサ等により検出されるのである。
【００３１】
尚、以上は自動シート搬送装置であるＡＤＦ８（図２に示す）に適用した実施例であるが、ＡＤＦ８への適用に限るものではない。例えば、記録紙を排出する経路等にも適用できるのである。即ち、あらゆる用紙搬送経路に適用することが可能である。
【００３２】
また、本実施例では、センサフィーラ５３を抜き孔５４から垂下させる構成としたが、これに限るものではない。
例えば、フィーラ軸５２からセンサフィーラ５３を上方に延出し、フィーラ軸５２を捩じり引張バネ等により一方向に付勢する構成とした場合においても、本発明を適用することができる。
【００３３】
【発明の効果】
本発明は以上のごとく構成したので、次のような効果を奏するのである。すなわち、請求項１に記載のごとく、搬送方向が湾曲する用紙搬送経路と、前記用紙搬送経路において搬送される用紙が沿う側の搬送面であるガイド表面に穿設した抜き孔と、前記抜き孔から突出して用紙と接触し、用紙搬送経路側を形成する表面、並びに、反用紙搬送経路側を形成する当接面、を備える突出部と、前記突出部を揺動するアームと、からなるセンサフィーラと、前記抜き孔に形成され、前記突出部の当接面と当接する保持面と、から構成される用紙検出装置であって、前記突出部の表面は、前記ガイド表面の形状に沿った形状とされ、前記抜き孔の保持面と前記突出部の当接面との側面視断面は、円弧状に形成され、前記突出部が用紙と接触した際に、前記突出部は、前記アームによって揺動され、前記抜き孔と前記ガイド表面との境界部を閉鎖するので、センサフィーラが、ガイド表面と同様の機能を有する搬送面を構成することとなり、用紙搬送経路を通過する用紙が抜き孔とガイド表面の境界部に引っかかることがなく、ペーパージャムや、用紙先端にダメージが発生することを防止できる。また、確実にセンサフィーラが再び自重で垂れ下がることができる。
【００３４】
また、請求項２に記載のごとく、前記センサフィーラの用紙と接触する側の表面は、用紙が通過する際にガイド表面の一部を形成するので、該表面が用紙の滑らかな搬送の障害となることがない。
【図面の簡単な説明】
【図１】本発明に係る用紙検出装置を適用する一般的なコピー・ファクシミリ複合を示す図である。
【図２】本発明に係る用紙検出装置を適用する自動シート搬送装置の内部構造を示す側面図である。
【図３】本発明に係る用紙検出装置の構成を示す側面図である。
【図４】同じく図３における矢印Ｈから見た図である。
【図５】同じく本発明に係る用紙検出装置の他の実施例の構成を示す側面図である。
【図６】同じく図５における矢印Ｈから見た図である。
【図７】従来の用紙検出装置の構成を示す側面図である。
【図８】同じく図７におけるに矢印Ｈから見た図である。
【符号の説明】
５１            ガイド
５２            フィーラ軸
５３            センサフィーラ
５４            抜き孔
５７            アーム
５８            突出部
６５            表面
６６            ガイド表面
Ｒ１            用紙搬送路
Ｗ              用紙
【図１】
0004250864.tif 000002
【図２】
0004250864.tif 000003
【図３】
0004250864.tif 000004
【図４】
0004250864.tif 000005
【図５】
0004250864.tif 000006
【図６】
0004250864.tif 000007
【図７】
0004250864.tif 000008
【図８】
0004250864.tif 000009